(57)【要約】  眼球構成要素の少なくとも１つのセクションに処置が実行される。眼球構成要素の少なくとも１つの音波と相互作用するように、セクションに少なくとも１つの第１の電磁放射線を提供する。少なくとも１つの第２の電磁放射線が相互作用に基づいて生成される。第２の電磁放射線の複数の部分が受けられる。各部分がセクションの異なる対応するセグメントから放射された。処置の間に複数の部分に基づいて、セクションの粘弾性率をモニタする。モニタされた粘弾性率に少なくとも部分的に基づいて処置にフィードバックを適用し、（１）セグメントの粘弾性率の異なるそれぞれのモニタされた値に基づいて切開の軌道をガイドすること、または（２）セグメントの粘弾性率の異なるそれぞれのモニタされた値に基づいて行われるいくつかの切開を決定することのうちの少なくとも１つを含む。【選択図】図１Ａ
2018527059.tif 000002
【特許請求の範囲】
【請求項１】
眼の少なくとも１つの眼球構成要素のモニタされた特性に基づいて処置を実行するための方法であって、
前記眼の第１の眼球構成要素の少なくとも１つのセクションに対して処置を実行するステップと、
前記第１の眼球構成要素内の少なくとも１つの音波と相互作用するように、前記第１の眼球構成要素の前記少なくとも１つのセクションに少なくとも１つの第１の電磁放射線を提供するステップであって、少なくとも１つの第２の電磁放射線が、前記相互作用に基づいて生み出されるステップと、
前記少なくとも１つの第２の電磁放射線の複数の部分を受けるステップであって、各部分が前記第１の眼球構成要素の前記少なくとも１つのセクションの異なる対応するセグメントから放出されたステップと、
前記第１の眼球構成要素の前記少なくとも１つのセクションに実行される前記処置の間に前記複数の部分に基づいて前記第１の眼球構成要素の前記少なくとも１つのセクションの粘弾性率をモニタするステップと、
前記モニタされた粘弾性率に少なくとも部分的に基づいて前記処置にフィードバックを適用するステップであって、（１）前記セグメントの粘弾性率の異なるそれぞれのモニタされた値に基づいて切開の軌道をガイドすること、または（２）前記セグメントの粘弾性率の異なるそれぞれのモニタされた値に基づいて行われるいくつかの切開を決定することのうちの少なくとも１つを含むステップと
を含む方法。
【請求項２】
前記処置が、前記第１の眼球構成要素の硬さを増加させる処置を含む、請求項１に記載の方法。
【請求項３】
前記第１の眼球構成要素の硬さを増加させる前記処置が、前記眼の角膜のクロスリンキングを含む、請求項２に記載の方法。
【請求項４】
前記処置が、前記第１の眼球構成要素の硬さを減少させる処置を含む、請求項１に記載の方法。
【請求項５】
前記第１の眼球構成要素の硬さを減少させる前記処置が切開を含む、請求項４に記載の方法。
【請求項６】
前記モニタされた粘弾性率に少なくとも部分的に基づいて前記処置にフィードバックを適用することは、前記セグメントの粘弾性率の異なるそれぞれのモニタされた値に基づいて前記切開の軌道をガイドすることを含む、請求項５に記載の方法。
【請求項７】
前記軌道をガイドすることが、前記軌道の少なくとも一部の曲率半径、または前記軌道の長さのうちの少なくとも１つを決定することを含む、請求項６に記載の方法。
【請求項８】
前記モニタされた粘弾性率に少なくとも部分的に基づいて前記処置にフィードバックを適用することは、前記セグメントの粘弾性率の異なるそれぞれのモニタされた値に基づいて行われるいくつかの切開を決定することを含む、請求項５に記載の方法。
【請求項９】
前記切開が、キャビテーション気泡の生成に基づいて前記第１の眼球構成要素の光学的破壊を誘発するレーザ切開を含む、請求項５に記載の方法。
【請求項１０】
前記切開が、前記第１の眼球構成要素の機械的破壊を誘発する機械的切開を含む、請求項５に記載の方法。
【請求項１１】
前記第１の眼球構成要素が前記眼の水晶体を含み、前記第１の眼球構成要素の硬さを減少させる前記処置が、前記水晶体のレーザ誘発光分解を含む、請求項４に記載の方法。
【請求項１２】
前記処置が、前記第１の眼球構成要素の前記少なくとも１つのセクションに第３の電磁放射線を提供するために光源を使用する、請求項１に記載の方法。
【請求項１３】
前記処置が、前記音波のエネルギーの少なくとも一部を提供するために音響源を使用する、請求項１に記載の方法。
【請求項１４】
前記少なくとも１つの第２の電磁放射線が、ブリルアン散乱相互作用に基づいて生成される、請求項１に記載の方法。
【請求項１５】
前記処置にフィードバックを適用するステップは、リアルタイムフィードバックを適用して前記処置をリアルタイムでガイドするステップを含む、請求項１４に記載の方法。
【請求項１６】
前記処置をリアルタイムでガイドするステップが、０．４秒未満の前記少なくとも１つの第２の電磁放射線の前記複数の部分のそれぞれのスペクトル特性の異なるそれぞれの値に基づいて、前記セグメントの粘弾性率の複数の値を決定することを含む、請求項１５に記載の方法。
【請求項１７】
前記処置にフィードバックを適用するステップが、前記セグメントの粘弾性率の異なるそれぞれのモニタされた値に基づいて、前記少なくとも１つのセクションにわたって前記処置をガイドすることを含む、請求項１４に記載の方法。
【請求項１８】
前記セグメントは、前記粘弾性率の異方性モニタを提供するために、３つの空間次元に分布させる、請求項１７に記載の方法。
【請求項１９】
複数のセグメントの各々についての粘弾性率のモニタされた値が、複数の離散要素値の空間依存関数の時間依存的進展を提供する数値解析に基づいて計算される方法であって、各離散要素値は、前記複数のセグメントの少なくとも１つの粘弾性率のモニタされた値から導出され、各離散要素値は、前記処置中に複数の連続した時間の各々で更新される請求項１７に記載の方法。
【請求項２０】
前記数値解析が有限要素解析を含む、請求項１９に記載の方法。
【請求項２１】
特定のセグメントの粘弾性率のモニタされた値が、前記少なくとも１つの第２の電磁放射線の対応する部分のスペクトルのスペクトル線幅またはスペクトルシフトの少なくとも１つに少なくとも部分的に基づいて決定される、請求項１７に記載の方法。
【請求項２２】
前記眼の第２の眼球構成要素の少なくとも１つのセクションに対して前記処置を実行するステップと、
前記第２の眼球構成要素の少なくとも１つの音波と相互作用するよう前記第２の眼球構成要素の前記少なくとも１つのセクションに前記少なくとも１つの第１の電磁放射線の一部分を提供するステップであって、少なくとも１つの第３の電磁放射線が、前記相互作用に基づいて生成されるステップと、
前記少なくとも１つの第３の電磁放射線の複数の部分を受けるステップであって、各部分が前記第２の眼球構成要素の前記少なくとも１つのセクションの異なる対応するセグメントから放出されたステップと、
前記第２の眼球構成要素の前記少なくとも１つのセクションに実行される前記処置の間に前記少なくとも１つの第３の電磁放射線の前記複数の部分に基づいて前記第２の眼球構成要素の前記少なくとも１つのセクションの粘弾性率をモニタするステップと、
前記第２の眼球構成要素の前記少なくとも１つのセクションの前記モニタされた粘弾性率に少なくとも一部基づく前記処置にフィードバックを適用するステップと
をさらに含む方法であって、
前記少なくとも１つの第２の電磁放射線の前記複数の部分は、前記少なくとも１つの第２の電磁放射線に特徴的なスペクトルを分離する第１の消光効率を有するように構成された分光計を通して受け取り、前記少なくとも１つの第３の電磁放射線の前記複数の部分が、前記少なくとも１つの第３の電磁放射線に特徴的なスペクトルを分離する第２の消光効率を有するように構成された前記分光計を通して受ける、請求項１に記載の方法。
【請求項２３】
前記第２の消光効率は、前記第１の消光効率よりも大きく、前記少なくとも１つの第３の電磁放射線の受ける部分の数は、前記少なくとも１つの第２の電磁放射線の受ける部分の数よりも少なく、前記少なくとも１つの第３の電磁放射線の各部分が受けられる時間は、前記少なくとも１つの第２の電磁放射線の各部分が受けられるより長い時間である、請求項２２に記載の方法。
【請求項２４】
前記第１の眼球構成要素が前記眼の角膜であり、前記第２の眼球構成要素が前記眼の強膜である、請求項２３に記載の方法。
【請求項２５】
前記第１の眼球構成要素の前記少なくとも１つのセクションの前記粘弾性率をモニタするステップが、偏光感応装置を使用して前記少なくとも１つの第２の電磁放射線の前記部分を検出して、前記音波の伝播方向に関連する前記少なくとも１つの第２の電磁放射線の前記部分の特徴を決定することを含む、請求項１に記載の方法。
【請求項２６】
前記第１の眼球構成要素の前記少なくとも１つのセクションの前記粘弾性率をモニタするステップは、２次元センサアレイの異なる位置において前記少なくとも１つの第２の電磁放射線の前記部分のそれぞれを検出することを含む請求項１に記載の方法。
【請求項２７】
前記粘弾性率は、複数の前記セグメントのそれぞれについて決定され、粘性率を表す成分と弾性率を表す成分とを含むパラメータで表される、請求項１に記載の方法。
【請求項２８】
眼の少なくとも１つの眼球構成要素のモニタされた特性に基づいて処置を実行するための器具であって、
前記眼の第１の眼球構成要素の少なくとも１つのセクションに処置を実行するように構成された少なくとも１つの第１の装置と、
前記第１の眼球構成要素の少なくとも１つの音波と相互作用するように、前記第１の眼球構成要素の前記少なくとも１つのセクションに少なくとも１つの第１の電磁放射線を提供するように構成された少なくとも１つの第２の装置であって、少なくとも１つの第２の電磁放射線が前記相互作用に基づいて生成される装置と、
前記少なくとも１つの第２の電磁放射線の複数の部分を受けるように構成された少なくとも１つの第３の装置であって、各部分が前記第１の眼球構成要素の前記少なくとも１つのセクションの異なる対応するセグメントから放射された装置と、
前記第１の眼球構成要素の前記少なくとも１つのセクションに実行される前記処置の間に前記複数の部分に基づいて前記第１の眼球構成要素の前記少なくとも１つのセクションの粘弾性率をモニタするよう構成される少なくとも１つの第４の装置と
を含む器具であって、
前記第１の装置が前記モニタされた粘弾性率に少なくとも部分的に基づいて前記処置にフィードバックを適用するようさらに構成され、（１）前記セグメントの粘弾性率の異なるそれぞれのモニタされた値に基づいて切開の軌道をガイドすること、または（２）前記セグメントの粘弾性率の異なるそれぞれのモニタされた値に基づいて行われるいくつかの切開を決定することのうちの少なくとも１つを含む、器具。
【発明の詳細な説明】
【技術分野】
【０００１】
関連出願の相互参照
本出願は、２０１５年９月２日に出願された米国仮特許出願第６２／２１３，４２３号の利益を主張するものであり、それは参照により本明細書に組み入れられる。
【０００２】
本出願は、２０１２年４月３０日に出願された米国特許出願第１３／４６０，５９５号明細書および２０１１年４月２９日に出願された米国特許出願第６１／４８０，８８５号明細書の優先権に関連するが、優先権を主張してはいない。これらの各々は、参照により本明細書に組み入れられる。
【０００３】
本記載は、生物学的組織のモニタされた特性に基づいて処置を実行することに関する。
【背景技術】
【０００４】
ブリルアン・スペクトロスコピーが物質の特性評価に使用されてきたが、様々な問題により、特定の状況で生物学的組織を画像化するための用途が制限されている（例えば、インビボイメージング）。
【発明の概要】
【課題を解決するための手段】
【０００５】
一態様では、一般に、眼の少なくとも１つの眼球構成要素のモニタされた特性に基づいて処置を実行するための方法であって、眼の第１の眼球構成要素の少なくとも１つのセクションに対して処置を実行するステップと、第１の眼球構成要素内の少なくとも１つの音波と相互作用するように、第１の眼球構成要素の少なくとも１つのセクションに少なくとも１つの第１の電磁放射線を提供するステップであって、少なくとも１つの第２の電磁放射線が、相互作用に基づいて生み出されるステップと、少なくとも１つの第２の電磁放射線の複数の部分を受けるステップであって、各部分が第１の眼球構成要素の少なくとも１つのセクションの異なる対応するセグメントから放出されたステップと、第１の眼球構成要素の少なくとも１つのセクションに実行される処置の間に複数の部分に基づいて第１の眼球構成要素の少なくとも１つのセクションの粘弾性率をモニタするステップと、モニタされた粘弾性率に少なくとも部分的に基づいて処置にフィードバックを適用するステップであって、（１）セグメントの粘弾性率の異なるそれぞれのモニタされた値に基づいて切開の軌道をガイドすること、または（２）セグメントの粘弾性率の異なるそれぞれのモニタされた値に基づいて行われるいくつかの切開を決定することのうちの少なくとも１つを含むステップとを含む。
【０００６】
諸態様は、以下の特徴の１つ以上を含むことができる；
この処置は、第１の眼球構成要素の硬さを増加させる処置を含む；
第１の眼球構成要素の硬さを増加させる処置は、眼の角膜のクロスリンキングを含む；
処置は、第１の眼球構成要素の硬さを減少させる処置を含む；
第１の眼球構成要素の硬さを減少させる処置は、切開を含む。
【０００７】
モニタされた粘弾性率に少なくとも部分的に基づいて処置にフィードバックを適用するステップは、セグメントの粘弾性率の異なるそれぞれのモニタされた値に基づいて切開の軌道をガイドすることを含む。
【０００８】
軌道をガイドすることが、軌道の少なくとも一部の曲率半径、または軌道の長さのうちの少なくとも１つを決定することを含む。
【０００９】
モニタされた粘弾性率に少なくとも部分的に基づいて処置にフィードバックを適用することは、セグメントの粘弾性率の異なるそれぞれのモニタされた値に基づいて行われるいくつかの切開を決定することを含む。
【００１０】
切開は、キャビテーション気泡の生成に基づいて第１の眼球構成要素の光学的破壊を誘発するレーザ切開を含む。
【００１１】
切開は、第１の眼球構成要素の機械的破壊を誘発する機械的切開を含む。
【００１２】
第１の眼球構成要素は眼の水晶体を含み、第１の眼球構成要素の硬さを減少させる処置は、水晶体のレーザ誘発光分解を含む。
【００１３】
この処置は、第１の眼球構成要素の少なくとも１つのセクションに第３の電磁放射線を提供するために光源を使用する。
【００１４】
この処置は、音波のエネルギーの少なくとも一部を提供するために音響源を使用する。
【００１５】
少なくとも１つの第２の電磁放射線は、ブリルアン散乱相互作用に基づいて生成される。
【００１６】
処置にフィードバックを適用するステップは、リアルタイムフィードバックを適用して処置をリアルタイムでガイドするステップを含む。
【００１７】
処置をリアルタイムでガイドするステップが、０．４秒未満の少なくとも１つの各第２の電磁放射線の複数の部分のスペクトル特性の異なる各値に基づいて、セグメントの粘弾性率の複数の値を決定することを含む。
【００１８】
処置にフィードバックを適用するステップが、セグメントの粘弾性率の異なるそれぞれのモニタされた値に基づいて、少なくとも１つのセクションにわたって処置をガイドすることを含む。
【００１９】
セグメントは、粘弾性率の異方性モニタを提供するために、３つの空間次元に分布させる。
【００２０】
複数のセグメントの各々についての粘弾性率のモニタされた値が、複数の離散要素値の空間依存関数の時間依存的進展を提供する数値解析に基づいて計算され、各離散要素値は、複数のセグメントの少なくとも１つの粘弾性率のモニタされた値から導出され、各離散要素値は、処置中に複数の連続した時間の各々で更新される。
【００２１】
数値解析は有限要素解析を含む。
【００２２】
特定セグメントの粘弾性率のモニタされた値は、少なくとも１つの第２の電磁放射線の対応する部分のスペクトルのスペクトル線幅またはスペクトルシフトの少なくとも１つに少なくとも部分的に基づいて決定される。
【００２３】
方法は、眼の第２の眼球構成要素の少なくとも１つのセクションに対して処置を実行するステップと、第２の眼球構成要素の少なくとも１つの音波と相互作用するよう第２の眼球構成要素の少なくとも１つのセクションに少なくとも１つの第１の電磁放射線の一部を部分に提供するステップであって、少なくとも１つの第３の電磁放射線が、相互作用に基づいて生成されるステップと、少なくとも１つの第３の電磁放射線の複数の部分を受けるステップであって、各部分が第２の眼球構成要素の少なくとも１つのセクションの異なる対応するセグメントから放出されたステップと、第２の眼球構成要素の少なくとも１つのセクションに実行される処置の間に少なくとも１つの第３の電磁放射線の複数の部分に基づいて第２の眼球構成要素の少なくとも１つのセクションの粘弾性率をモニタするステップと、第２の眼球構成要素の少なくとも１つのセクションのモニタされた粘弾性率に少なくとも一部に基づいて処置にフィードバックを適用するステップとをさらに含み、少なくとも１つの第２の電磁放射線の複数の部分は、少なくとも１つの第２の電磁放射線に特徴的なスペクトルを分離する第１の消光効率を有するように構成された分光計を通して受けられ、少なくとも１つの第３の電磁放射線の複数の部分は、少なくとも１つの第３の電磁放射線に特徴的なスペクトルを分離する第２の消光効率を有するように構成された分光計を通して受けられる。
【００２４】
第２の消光効率は、第１の消光効率よりも大きく、少なくとも１つの第３の電磁放射線の受ける部分の数は、少なくとも１つの第２の電磁放射線の受ける部分の数よりも少なく、少なくとも１つの第３の電磁放射線の各部分が受けられる時間は、少なくとも１つの第２の電磁放射線の各部分が受けられるより長い時間である。
【００２５】
第１の眼球構成要素は眼の角膜であり、第２の眼球構成要素は眼の強膜である。
【００２６】
第１の眼球構成要素の少なくとも１つのセクションの粘弾性率をモニタするステップは、偏光感応装置を使用して少なくとも１つの第２の電磁放射線の部分を検出して、音波の伝播方向に関連する少なくとも１つの第２の電磁放射線の部分の特徴を決定することを含む。
【００２７】
第１の眼球構成要素の少なくとも１つのセクションの粘弾性率をモニタするステップは、２次元センサアレイの異なる位置において少なくとも１つの第２の電磁放射線の部分のそれぞれを検出することを含む。
【００２８】
粘弾性率は、複数のセグメントのそれぞれについて決定され、粘性率を表す成分と弾性率を表す成分とを含むパラメータで表される。
【００２９】
別の態様は、一般に、眼の少なくとも１つの眼球要素のモニタされた特性に基づいて処置を実行するための器具であって、眼の第１の眼球構成要素の少なくとも１つのセクションに処置を実行するように構成された少なくとも１つの第１の装置と、第１の眼球構成要素の少なくとも１つの音波と相互作用するように、第１の眼球構成要素の少なくとも１つのセクションに少なくとも１つの第１の電磁放射線を提供するように構成された少なくとも１つの第２の装置であって、少なくとも１つの第２の電磁放射線が相互作用に基づいて生成される装置と、少なくとも１つの第２の電磁放射線の複数の部分を受けるように構成された少なくとも１つの第３の装置であって、各部分が第１の眼球構成要素の少なくとも１つのセクションの異なる対応するセグメントから放射された装置と、第１の眼球構成要素の少なくとも１つのセクションに実行される処置の間に複数の部分に基づいて第１の眼球構成要素の少なくとも１つのセクションの粘弾性率をモニタするよう構成される少なくとも１つの第４の装置とを含み、第１の装置がモニタされた粘弾性率に少なくとも部分的に基づいて処置にフィードバックを適用するようさらに構成され、（１）セグメントの粘弾性率の異なるそれぞれのモニタされた値に基づいて切開の軌道をガイドすること、または（２）セグメントの粘弾性率の異なるそれぞれのモニタされた値に基づいて行われるいくつかの切開を決定することのうちの少なくとも１つを含む。
【００３０】
他の態様では、一般に、器具および方法は、インビボで患者または動物の眼組織の少なくとも一部分に関する生体力学的情報を空間分解能で提供することができる。眼の組織内から発生させたブリルアン光散乱は、組織の生体力学的情報を得るために使用される。散乱光のスペクトル特性を分析および処理して、角膜実質の弱化や水晶体核の加齢に関連する硬化などの、眼組織の健康および疾患に関連する生体力学的情報を提供する。プローブビームが組織を横切って走査され、ブリルアン散乱光の１次元、２次元、または３次元のスペクトルデータが得られる。得られた情報は、測定されたスペクトル特性から得られた画像またはパラメータの形態で表示される。
【００３１】
諸態様は以下の利点の１つ以上を備え得る。
【００３２】
本明細書に記載される技術は、患者の眼または生きている動物の眼の角膜、強膜および水晶体などの様々な眼組織および／または構造を含む、眼球構成要素の生体力学的および生理学的特性を得るための装置および方法に関し、眼疾患の診断および／または治療のための処置、ならびに基礎研究および前臨床開発を行うためのものである。この情報は、眼球構成要素の極超音速音響特性に関連するブリルアン光散乱のスペクトル分析から得られる。
【００３３】
この技術によって、角膜拡張症や老視といった眼の障害の診断ならびにこれらの問題の治療に関連し、それらにおいて有用である生体力学的情報の非侵襲的な検査が、可能になる。そのため、屈折矯正手術の患者をスクリーニングし、リスクのある候補者を特定し、切除のパターンを最適なものにするための定量的なアプローチが得られる。
【００３４】
処置中に眼組織の粘弾性率をモニタするためにブリルアン散乱スペクトロスコピーを用いることにより、モニタされた粘弾性率からのフィードバックを用いながら、その処置をリアルタイムでガイドすることができる。モニタされた粘弾性率は、外科的処置や他のタイプの治療上の処置などの処置に伴う細胞のプロセスによって引き起こされる生体力学的変化の測定を行うことができる。眼球構成要素（または他の生物学的組織）に対する生体力学的変化は、それらの細胞構造（例えば、細胞外マトリックス、コラーゲン線維、星状細胞、角膜実質細胞など）に影響を与える変化を含み得る。
【００３５】
眼内圧（ＩＯＰ）のような特性を説明するために逆モデリングを利用する必要がある場合のある数値解析（有限要素解析など）を使用して、眼の構造をモデリングする他の技術と比較して、本明細書に記載の技術は、逆モデリングなどの追加の計算ステップを必ずしも実行する必要なく、ＩＯＰを含む多くの物質特性に関連した、粘弾性率の直接マッピングを可能にする。
【００３６】
本発明の他の特徴および利点は、以下の説明および特許請求の範囲から明らかになるであろう。
【図面の簡単な説明】
【００３７】
【図１Ａ】ブリルアン眼分析装置の例示的な実施形態の概略図である。
【図１Ｂ】ブリルアン眼分析装置の別の例示的な実施形態の概略図である。
【図２Ａ】ヒトの眼の分析をすべくプローブビームの焦点を走査するための例示的な戦略を示す。
【図２Ｂ】ヒトの眼の分析をすべくプローブビームの焦点を走査するための例示的な戦略を示す。
【図２Ｃ】ヒトの眼の分析をすべくプローブビームの焦点を走査するための例示的な戦略を示す。
【図３】交差軸構成でカスケード接続された複数のＶＩＰＡエタロンからなる分光計の例示的な構成および原理の概略図を示す。
【図４Ａ】例示的な２ステージＶＩＰＡ分光計の概略図である。
【図４Ｂ】２つの例示的なアポダイゼーション方式における設計および出力ビームのプロファイルを示す。
【図４Ｃ】本開示の例示的な実施形態による、水和状態における表皮層の例示的なブリルアンシフトのグラフである。
【図５Ａ】眼内の複数の空間的位置を同時に調べるように構成された単一ＶＩＰＡ分光計の概略および原理を示す。
【図５Ｂ】線集束プローブビームを使用する単一ＶＩＰＡ分光計の概略および原理を示す。
【図５Ｃ】例示的な実施形態による、眼内の複数の空間的位置を同時に調べるように構成された単一ＶＩＰＡ分光計の例示的原理を示す概略図および画像である。
【図５Ｄ】さらなる例示的な実施形態による、線集束プローブビームを使用する単一ＶＩＰＡ分光計の例示的原理を示す概略図および画像である。
【図６Ａ】動物のイメージングの例示的な概略図を示す。
【図６Ｂ】インビボでの、マウスの水晶体の４つの異なる位置、つまりｉ房水、ｉｉ皮質、ｉｉｉ核、ｉｖ硝子体液での２つの状態のＶＩＰＡ分光計で得られたブリルアンスペクトルの典型的な実験データを示す。
【図６Ｃ】マウスの水晶体から得たブリルアン周波数シフトの実験的に得られた軸方向のプロファイルを示す。
【図６Ｄ】ブリルアン線幅の軸方向プロファイルを示す。
【図６Ｅ】マウスの水晶体の断面のブリルアン画像の典型を示す。
【図７Ａ】ウシの角膜の断面のブリルアンイメージングを示す。
【図７Ｂ】ウシの角膜の正面向きのブリルアン画像を示す。
【図７Ｃ】ウシの角膜におけるブリルアンシフトの例示的な軸方向プロファイルを示す。
【図８Ａ】角膜クロスリンキング前後の角膜組織の断面ブリルアン画像を示す。
【図８Ｂ】角膜実質におけるブリルアンシフトの軸方向勾配に関する、正常角膜組織とクロスリンキング角膜組織との間の顕著な差異を示す。
【図８Ｃ】正常角膜組織とクロスリンキング角膜組織間での、空間平均化したブリルアンモジュラスの有意な差を示す。
【図９Ａ−９Ｅ】ガイドすることができる例示的な切開を示す。
【発明を実施するための形態】
【００３８】
水晶体には年月を経て硬くなる傾向があることが、長い間知られている。水晶体が硬化すると、水晶体を保持する筋肉が形状を容易に変えることができなくなり、当事者は近くの物体に焦点を合わせるのがより困難になったり、調節能力が喪失したりする、老視と呼ばれる状態になる。老視は、４５歳超のほぼすべての者が患うものである。それにもかかわらず、臨床医は、水晶体の生体力学的変化を特徴付ける手段を有していない。さらに、いかなる薬物もこの状態の進行性を妨害し、緩徐化または逆転させるのに利用できずにいる。
【００３９】
白内障、つまり水晶体の混濁は、世界の失明の主要な原因である。加齢性の核白内障が最も一般的な形態であり、６５歳以上の米国人住民の５０％超が患っている。その蔓延にもかかわらず、今日の白内障患者に対するケアの唯一の標準は、手術、つまり侵襲的な処置であり、患者が処置に適格になるまで何年も悪化した視野に苛まれた後に、通常行われる。米国の約１５０万人（白内障８７００万人のうち）が毎年白内障の手術を受けているが、この状態では８５００万を超える者たちが治療を受けていない。水晶体のタンパク質の損傷を治療または予防することができる薬物が積極的に求められている。しかし、白内障のメカニズムの理解が限られていたことと、白内障の起源をモニタすることができる技術が不足していたことで、薬物の開発が妨げられていた。白内障の形成の根底にある詳細なメカニズムはまだ解明されていないが、水晶体の混濁は水晶体のタンパク質の変性に起因し得ることが知られている。この構造的および生理学的な変化により、水晶体の弾性特性が変わる可能性がある。したがって、患者の水晶体の弾力性を測定できることは、白内障の早期診断および非外科的介入の開発に有用であり得る。
【００４０】
角膜では、角膜の硬さと眼内圧との力学的バランスが、角膜の適切な形状および正常な機能を維持する上で重要である。したがって、角膜の力学的特性の異常な変化は、視力を低下させ、視野を損なわせる可能性がある。角膜拡張症は、角膜が眼内圧に耐えるほど力学的に十分に強くない場合に発生する、角膜の隆起を意味する。拡張症は、円錐角膜と呼ばれる変性疾患に起因する可能性がある。円錐角膜および角膜突出は、一般の人口１０００人のうち１人に発生し、毎年米国の１５０万人の患者で行われるＬＡＳＩＫ手術の合併症であることが多い。これらの状態および処置はすべて、眼の力学的性質に本質的に関連しており、診断の観点からは、非常に早い段階で、眼組織の力学的特性を変化させることが期待される。
【００４１】
拡張症は、ＬＡＳＩＫ（レーザ角膜切削形成術）手術後の稀ではあるが深刻な有害転帰の１つでもある。現在、米国では約１５０万件のＬＡＳＩＫ手術が毎年行われている。ＬＡＳＩＫが一般的になるにつれて、ＬＡＳＩＫ後の拡張症の発生率が増加し続けている。角膜拡張症に対する有望な治療アプローチは、角膜クロスリンキング（ＣＸＬ）として知られている処置である。これは、角膜の自然に存在するコラーゲン線維をクロスリンクすることによって角膜実質の硬さを増加させるものである。また、角膜の粘弾特性は、眼内圧の眼圧測定にも影響を与えることが知られている。
【００４２】
結果として、生体力学的特性は、白内障および屈折障害、例えば近視、遠視、乱視、および老視の発症および進行の診断およびモニタ、ならびに角膜の病理および治療のための適切な標的であり得る。この理由のために、診断、および治療のモニタのために、水晶体、強膜および角膜組織の力学的特性を測定することに大きな関心が寄せられている。しかし、現在の技術では、患者および動物のモデルにおいてインビボのそのような局所的な生体力学的変化を検出することができず、一般的な眼の問題の理解および治療を発展させようとする我々の努力が深刻に頓挫している。
【００４３】
従来のスリットランプ検査からもっと新しい画像技術（コンピュータビデオケラトグラフィー、ＯＣＴ、共焦点顕微鏡観察、超音波、Ｓｃｈｅｉｍｆｌｕｇ写真撮影）までの通常の技術は、角膜、強膜、結膜および水晶体の構造を画像化するのに優れているが、生理学的および生体力学的情報を提供できない。パキメトリー（厚さの測定）やトポグラフィ（表面の湾曲のマッピング）などの現在の臨床機器は、ＬＡＳＩＫ後の拡張症のリスクが高い患者をスクリーニングする際、限界がある。正常に見える角膜の患者が合併症を発症してきた。
【００４４】
いくつかの技術が、エクスビボおよびインビボでの角膜、強膜および水晶体の力学的特性を特徴付けるために使用されている。例えば、回転式カップ、機械式ストレッチャー、応力ひずみ装置、または膨張検査によって、包括的ではあるが破壊的な分析が行われてきた。他の機械的検査方法には、気泡の生成に基づくレーザ誘起の光学的破壊、および空間情報なしで表面の角膜のヒステリシスを測定する眼の反応分析を含む。超音波は、エラストグラフィなどの非侵襲的方法を可能にするため、魅力的な手段である。特に注目すべきは、超音波パルスエコーの技術および超音波スペクトロスコピーであり、パルスまたは連続波の音波が角膜に発射され、伝播速度および減衰が測定されて組織の粘弾性率が計算される。しかし、超音波ベースの技術は、空間分解能および測定感度が比較的低いという欠点を有する。
【００４５】
組織または他のいずれかの媒質におけるブリルアン光散乱は、入射光と物質内の音波との相互作用に起因して生じる。試料に照射される、周波数νおよび波長λを有するプローブ光を考える。自然発生的なブリルアンプロセスでは、熱の変動により音波または音響フォノンが自然に存在する。このような変動は、音波の形態で媒質を介して伝搬する。これらの音波は、屈折率の周期的な変調を発生する。ブリルアン散乱は、少なくとも１つまたは多くの音波または音響フォノンによって発生させることが可能であり、それは位相整合された屈折率の変調を形成する。
【００４６】
図１Ａは、説明の例示的な実施形態を示す。第１の装置１００は、第１の電磁放射線１１０を提供し、それは眼１２０に送達される。電磁放射線１１０の最も適切な形態は、可視または近赤外領域の光である。第１の装置は光源を含むが、光源は典型的には単一周波数レーザ、フィルタリングされた水銀灯、または当技術分野で知られている他のタイプの発光器である。光源は、５３０ｎｍと１３５０ｎｍの間の波長を有することができるが、眼に使用するのに安全であることが知られている他の波長を使用することができる。光の線幅は、典型的には１ＧＨｚ未満、またはより好ましくは１００ＭＨｚ未満であるが、より広い線幅または複数のスペクトル線を有する光源を、適切な装置と組み合わせて使用することができる。
【００４７】
電磁放射線１１０は、角膜１２２および水晶体１２４を含むがこれらに限定されない眼組織の様々な部分を探知するために、眼１２０に向けられる。一般に、結像レンズ１３０は、電磁放射線１１０を小さなスポットに集束させるために使用される。結像レンズ１３０は、球面の凸レンズ、非球面レンズ、対物レンズ、θレンズ、または線集束のための円柱レンズであってもよい。
【００４８】
眼組織内の焦点の軸方向位置を走査するために、結像レンズ１３０を、並進ステージ１３４に取り付け得る。あるいは、プローブ光の開きを変化させる同調可能な素子を用いてもよい。焦点の横断的な位置を走査するために、１軸または２軸のビームスキャナ１４０が使用される。スキャナ１４０は、ガルバノメータ搭載型ミラー、ＭＥＭＳミラー、並進ステージ、または空間光変調器とすることができる。
【００４９】
組織での音響光学的な相互作用は、第２の電磁放射線を発生する光散乱を引き起こす。レイリー散乱とミー散乱、ラマン散乱、およびブリルアン散乱を含む光散乱のいくつかの機構が、当該技術分野で知られている。一般に、生物組織はこれらの散乱メカニズムのすべてを支持するが、ブリルアン散乱は媒質の音波と直接関連する。少なくとも１つの第２の電磁放射線の一部は、結像レンズ１３０によって集めることができる。エピ検出構成では、相互作用するプローブ光およびブリルアン散乱光は、ほぼ逆の方向に進む。あるいは、２軸構成を採用することができ、それにおいてプローブ光および散乱光は有限角度である。
【００５０】
システムは、ビームスプリッタ１４２を使用して、第１および第２の電磁放射線を反射および伝導することができる。ビームスプリッタ１４２は、信号生成および収集の効率を最適化するために、等しい５０／５０の分割比または不等な分割比を有することができる。ビームスプリッタ１４２は、広いスペクトル帯域幅を有するニュートラルスプリッタ、または多層コーティング、干渉、または回折に基づくダイクロイックスプリッタであってもよい。第２の電磁放射線１４４の一部は、少なくとも１つの第２の電磁放射線の少なくとも１つの部分１４４を受けるように構成された第２の装置１５０に送られる。
【００５１】
好ましい実施形態では、第２の装置１５０は、分光計、モノクロメータ、固定式または走査式のスペクトル用フィルタ、または当技術分野で知られている他の装置のような、少なくとも１つのスペクトル分析装置を使用する。第２の装置１５０は、第２の電磁放射線１４４の様々な特性を測定するように構成され、例としてそのスペクトルの中心周波数および幅、ならびに電界の強度および偏光が挙げられるが、これらに限定されない。特に、組織に入る少なくとも１つの第１の電磁放射線１１０と、ブリルアン散乱光を含む第２の電磁放射線１４４の少なくとも１つの部分との間における周波数の差が重要である。
【００５２】
プローブ光１１０に対するブリルアン散乱光の周波数シフトνＢは
【数１】
2018527059.tif 000003
で得られる。
【００５３】
式中、ｎは調べる組織の局所屈折率であり、Ｖは試料の音波の速度であり、θは散乱角、すなわち２軸ジオメトリなどでの入射光と散乱光との間の角度である。エピ後方検出構成では、θ＝πが適度に良好な近似値である。典型的な軟組織では、音波の速度は１０００〜３０００ｍ／ｓの範囲であり、ブリルアン周波数シフトは波長に応じて典型的には２〜２０ＧＨｚである。
【００５４】
ブリルアン散乱光の固有のスペクトル幅または線幅は、
【数２】
2018527059.tif 000004
によって得られる。式中、αは試料の音波の減衰係数である。
【００５５】
縦方向の複素弾性率Ｍ＝Ｍ’＋ｉＭ”は、式中、実数部Ｍ’が弾性率を表し、虚数部Ｍ”が粘性率であり、
【数３】
2018527059.tif 000005
で得られる。
【００５６】
したがって、ブリルアン散乱光のスペクトル特性の測定は、眼組織の生体力学的特性に関する情報を提供する。ブリルアン測定によって得られる有用な情報には、音速、音響減衰係数、ブリルアン弾性率、ブリルアン粘性率、および電気歪係数が含まれるが、これらに限定されない。以下でさらに説明するように、組織内の焦点を走査することによって異なる空間的位置を探知することができ、空間的に分解された様式の情報が得られる。ひいては、この空間情報は、眼組織の力学的完全性または健康を診断すべく評価するのに役立ち得る。
【００５７】
所与の物質の屈折率および音速は、一般に、局所的な温度および圧力に依存する。この依存性は、房水および硝子体液の温度またはｐｈ値の測定を介して、眼の炎症または病理状態の分析のために利用できる。ブリルアン散乱放射の大きさは、電歪係数などの、物質の特性に関連する、試料内の音響エネルギーと光エネルギーの結合に関連している。
【００５８】
図１Ｂは、第１の装置１００とビームスキャナ１４０との間に光ファイバ１６０を使用する変形的な実施形態を示す。別の光ファイバ１６２を用いて、ブリルアン散乱光を第２の装置１５０に送ることもできる。サンプルアームの光ファイバ１６０は、シングルモードファイバであることが好ましいが、マルチモードファイバ、多モードファイバまたはダブルクラッドファイバを使用することができる。好ましくは、検出アームの光ファイバ１８２は、シングルモードファイバまたは多モードファイバである。光ファイバ１６２は、共焦点ピンホールとして機能することができ、試料のプローブ光の焦点から発生した第２の電磁放射線の本質的に一部のみを選択的に収集することを可能にする。この共焦点検出は、３次元分解能による、空間分解のブリルアン測定を非常に容易にする。共焦点検出の原理は、当該技術分野において周知である。光ファイバ１６２の代わりに、ピンホールの採用などの空間的なフィルタを使用してもよい。ビームの経路に沿った様々な空気−ガラスまたは空気−組織界面での光反射を最小にするか、反射光が可能な限り第２の装置１５０に入ることを防止することが望ましい。
【００５９】
システムは、少なくとも１つの第１の電磁放射線またはプローブ光に対する眼１２０の位置決めを容易にするように構成された第３の装置１７０をさらに備えることができる。好ましくは、第３の装置は、前額レスト、顎レスト、眼固定ビーム、および細隙灯という特徴のうちの少なくとも１つを含む。特に、ヒューマンインターフェース１８０は、カメラを使用して、少なくとも１つの眼組織に対する少なくとも１つの第１の電磁放射線の少なくとも１つの位置を測定することができる。このタイプのビームガイド装置は、プローブビームの照準を促進し、焦点の位置情報を提供することができ、ブリルアン画像または眼組織の生体力学的特性の空間マップの作成に使用できる。
【００６０】
このシステムは、第４の装置１８０をさらに備えることができ、これはインビボで眼にある眼組織の少なくとも１つの部分に関連する情報を表示するように構成される。表示される情報は、ブリルアン周波数シフト、ブリルアン線幅、ブリルアン画像、および極超音速粘弾性率、ならびにブリルアン画像または粘弾特性の空間マップから計算された平均値や勾配などのパラメータを含み得るが、これらに限定されない。
【００６１】
システム構成は、少なくとも１つの周波数基準を提供するための第５の装置１９０をさらに採用することができる。好ましくは、第５の装置１９０は、ビームスプリッタ１４２を介して第１の電磁放射線の少なくとも一部を受け、少なくとも１つ、好ましくは複数のスペクトルピークでブリルアン散乱光を再放出するように構成される。例えば、周波数基準１９０は、既知のブリルアン周波数シフトを有する少なくとも１つの基準物質、固体または液体を含む。あるいは、周波数基準１９０は、プローブ光源１００の波長にロックさせた波長で電磁放射線を放射する光源とすることができる。両方の場合において、周波数基準１９０からの電磁放射線は、第２の装置１５０に向けられる。光スイッチ１９２は、定強度の電磁放射線をゲート開閉するために使用できる。基準周波数は、スペクトル分析を容易にする第２の装置１５０におけるスペクトル分析装置の較正に寄与する。
【００６２】
式（５）および（６）で規定されるブリルアン粘弾性率は、極超音速のＧＨｚの周波数における組織の特性を表す。角膜組織や水晶体を含むほとんどの軟組織は、周波数依存性モジュラスによって特徴付けられる粘弾特性を示す。より緩慢な緩和プロセスは、ＧＨｚの音響フォノンなどの高速の力学的または音響的変調に応答する時間がほとんどなく、そのため物質の「柔軟さ」にほとんど寄与しない。その結果、モジュラスは周波数と共に増加する傾向がある。さらに、音響フォノンの伝播は、水の非圧縮性（すなわち、ポアソン比約０．５）のため、典型的にはヤング率または剛性率よりもはるかに高い、縦弾性率によって支配される。有限の緩和時間と低圧縮率という２つの効果により、ブリルアンと標準的な機械的試験の間のモジュラスの大きな違いを述べるための定性的説明が得られる。
【００６３】
１つの研究で、我々は様々な年齢（１〜１８ヶ月）のブタとウシの取り出したばかりの水晶体を、機械設備が扱うことのできる大きさの小片に切断した。ブリルアンモジュラスの平均は、ブリルアンスペクトルの３次元測定および推定される密度および屈折率から計算した。予想通り、ブリルアンで測定された弾力性は、従来のＤＣの弾力性よりもはるかに高い。それにもかかわらず、ブリルアンでの測定と標準的な技術との間には明確な関係があるように見え、ブリルアンの痕跡が実際にレンズ状の組織の弾性に関する情報を提供することを示している。従来の応力−ひずみ試験で測定したヤング率と比較することで、ブタとウシの両方の組織のブリルアン（Ｍ’）と準静的モジュラス（Ｇ’）の間に顕著な相関があることが明らかになった（図２）。両対数線形関係に対して曲線の適合で高い相関（Ｒ＞０．９）が得られた。ｌｏｇ（Ｍ’）＝ａ  ｌｏｇ（Ｇ’）＋ｂ、式中、適合パラメータは、ブタ組織ではａ＝０．０９３、およびｂ＝９．２９であり、ウシ組織ではａ＝０．０３４、およびｂ＝９．５０であった。
【００６４】
本明細書に記載される技術の態様は、様々な処置をガイドするための光学走査技術によるブリルアン・スペクトロスコピーを利用している。例えば、この技術を使用して、眼の切開を伴う処置（例えば、角膜または角膜輪部、または他の眼組織における切開）をガイドするために眼の特徴を明らかにすることができる。例えば、適切なフィードバックを使用してガイドすることができる切開の特徴のいくつかとしては、幅、深さ、長さ、曲率、切開の数、および切開の位置が挙げられる。この特徴評価が有用な状況の一部として、以下が含まれる。
【００６５】
１．矯正角膜切開術（ＡＫ）または角膜輪部減張切開術（ＬＲＩ）または弧状切開（ＡＩ）などの、以下を矯正するための切開
ａ．先天性乱視
ｂ．白内障手術時またはその後残存する角膜乱視
ｃ．外傷後の乱視
ｄ．角膜移植後の乱視
ｅ．角膜屈折矯正手術後の乱視
【００６６】
２．眼の前房または後房にアクセスするための一次切開を伴う手術（例えば、白内障手術）
ａ．眼の前房または後房にアクセスするための一次切開（例えば、角膜輪部の切開、角膜穿刺、または強膜穿刺）
ｂ．二次切開−誘発＋既存の乱視を矯正するＡＫ（ＬＲＩまたはＡＩ）
ｉ．貫通式の切開（例えば、上皮層を含む前面からなされる角膜の切除）
ｉｉ．角膜実質内切開（例えば、角膜実質層内で行われる切除、例えばスマイル（ＳＭＩＬＥ；ｓｍａｌｌ  ｉｎｃｉｓｉｏｎ  ｌｅｎｔｉｃｕｌｅ  ｅｘｔｒａｃｔｉｏｎ）、ポケット、ガイド用平面、アクセスポートなどのための切開として）
【００６７】
３．水晶体へのアクセス（例えば、老視手術）および水晶体軟化のための滑動面形成を伴う手術
ＬＲＩやＡＩを含むＡＫは、先天性乱視、白内障の手術時またはその後の残存する角膜乱視、外傷後の乱視および角膜移植後の乱視を治療するために使用される外科手術である。
【００６８】
白内障手術の場合、水晶体および眼内レンズへのアクセスを可能にするために一次切開が行われ、乱視を矯正するために屈折を変えるべく角膜に二次切開または複数切開（ＡＫ）が行われ、両者共既存で、一次切開によって誘導された可能性のあるものである。ＡＫ切開の２つの例には、上皮層を介して角膜実質層に切断する貫通性のものと、エネルギー源（例えば、フェムト秒レーザ）または機器（例えば、スチール、ダイヤモンドなどから形成されたナイフまたはブレード）を使用することにより、角膜実質の部分を破壊するのみである、角膜実質内のものとがある。本明細書に記載される技術は、ＡＫのみに限定されず、放射状の角膜切開などの切開を含む他の角膜移植に適用したり、角膜の形状を変化させるために熱エネルギー、機械的エネルギーまたは化学的クロスリンキングを適用したりすることができる。
【００６９】
ＡＫの手術計画は、患者の年齢、屈折歴、角膜トポグラフィ、パキメトリー、および他のイメージング（例えば光干渉断層撮影（ＯＣＴ）、波面収差測定、角膜曲率測定および／または角膜および前房光線追跡法）の結果を含む患者データの組み合わせを評価し、切開の長さ、深さ、深さの均一性、角度および位置を含む、切開の性質をガイドするための適切なノモグラムの選択を思い付くようにする。ノモグラムは通常、フェムト秒レーザなどの外科システムと共に使用され、手作業で行われる場合、ＡＫは典型的には外科医の経験に基づいて提起される。どちらの場合も、ＡＫのプランニングを行うことができる。本明細書に記載の技術では、角膜内のブリルアンモジュラス値、またはブリルアンモジュラス値の２Ｄまたは３Ｄのブリルアンマップ（例えば、中心側周辺および周辺領域のモジュラスマップ）を作成して、切開の位置および特性評価用のガイドを提供する。これは、術後惹起乱視（ＳＩＡ）を最小限に抑えること、眼の既存の乱視を矯正すること、または角膜の屈折特性を変化させるために切開を使用する他の処置を含む、様々な目的を有する可能性がある。例えば、角膜または角膜輪部、またはおそらく強膜の切開がなされる場所で、モジュラスまたは応力などの力学的状態に応じて、結果、例えば、乱視の変化は、異なることになることが予想される。一実施形態では、角膜のモジュラスおよび／または強膜のモジュラスの１つまたは複数の測定は、設定された深さまたは／および間隔で完了でき、それは特定の比率（例えば、角膜の厚さ／測定の所望の数）またはパターン（例えば、角膜の深さを通して等距離の点で得られたモジュラス測定）、角膜におけるモジュラス勾配のマッピングを最適化することを含み得る。また、角膜輪部の領域は、２つの力学的に異なる組織構造（剛性の強膜およびよりコンプライアントな角膜、またはその逆）の間の「ヒンジ」領域（移行領域）として、測定に含めることができる。
【００７０】
水晶体を軟化する場合には、１つまたは複数のレンズ内切開を行い、滑動面または切断線を形成する。これは水晶体の大部分の硬さを減少させて軟化し、外面の曲率を大きくして屈折力を調節および増加させながらその形状を変えることができると期待されている。
【００７１】
いくつかの実施形態では、ブリルアンスペクトル特性（すなわち、粘弾性率が導出される特性）を分離するために使用する分光計は、構成可能なスペクトル効率を備える。このような分光計の例は、より詳細に後述するが、構成可能な数のＶＩＰＡステージを使用して消光効率を変更する。満足のいく信号対雑音比を達成するのに十分なノイズをフィルタリング除去するために、いくつかの眼球構成要素はより多くの光を散乱し、より高い消光効率を必要とする。しかしまた、消光効率がより高いと、ブリルアン発生光を集めるために、より長い時間が必要となる（例えば、電荷結合素子（ＣＣＤ）検出器における長い統合化時間の使用）。各ＣＣＤラインの収集時間が長いことは、所与の時間内に走査できる明確なマッピング位置がより少ないことを意味し、したがって、その時間内に取得できるマッピング分解能がより低いことになる（例えば、リアルタイム操作に対し、０．４秒という短さのことがあり得る）。そのため、消光効率とマッピング分解能間でのトレードオフが存在する。しかし、強膜などの特定の眼球構成要素については、より低いマッピング分解能（例えば、角膜の分解能より低いもの）が許容される。（例えば、ＣＭＯＳ、ｓＣＭＯＳ、ＥＭＣＣＤなどの）ＣＣＤ検出器以外の、またはそれに加える様々な検出器のいずれかを２次元センサアレイとして使用することができる。
【００７２】
剛性プロファイルを最も効率的に表す（例えば、Ｚ軸において）、角膜や強膜などの眼球構成要素内の特定の位置（例えば、点、ゾーン、領域、層、エリア）が存在し得る。眼球構成要素の様々なタイプの生体力学的ヒートマップは、例えば、等距離を測定することによって、または特定のエリアに測定を集中させることによって生成することができる。例えば、マップは、眼球構成要素の厚さにおける測定の集中の様々な分布を網羅することができる。
【００７３】
図２は、眼組織の複数の位置で生体力学的情報を取得し、それによってブリルアン画像を得るために、焦点１３２が眼１２０でどのように走査されるかを示す様々な例を示す。軸線の走査、側線の走査、ラスタ領域走査、３次元走査、およびランダムサンプリング走査を含む種々の走査形式が当技術分野で知られている。
【００７４】
一例では、プローブ光の焦点は、角膜または水晶体の中心に位置決めされる。この軸上の焦点２００が深さの座標（すなわち、Ｚ軸）に沿って走査されると、生体力学的情報の軸方向のプロファイル、またはブリルアン軸方向プロファイルが得られる。軸外の軸方向プロファイルは、角膜または水晶体の光学軸から外れている軸外焦点２１０を使用することによって得られる。角膜の走査の場合、遠い軸外焦点２２０を使用することができ、この場合、虹彩が水晶体にプローブ光が入るのを阻害している。
【００７５】
別の例では、線形の痕跡２３０に沿って焦点を動かすことによって、横方向ラインの走査または２次元の断面走査が達成される。Ｘ座標およびＹ座標のエリアで焦点を移動することによって、２次元の正面向きまたは３次元の走査を達成することができる。単純なラスタスキャン２４０または六角形のスキャン２５０を使用することができる。
【００７６】
エピ共焦点検出では、焦点の軸方向および横方向のスパンが、ブリルアンイメージングの軸方向および横方向の分解能を決定し、これは結像レンズ１２０の開口数（ＮＡ）によって与えられる。所与のＮＡに対して、軸方向分解能は、２軸構成では逆方向エピ検出よりも高い。角膜および水晶体をプロービングするための適切なＮＡは、典型的には０．１〜０．９の範囲である。網膜検査の場合、水晶体自体がプローブビームを網膜に集束させることができるので、結像レンズ１２０を使用しなくてもよい。
【００７７】
角膜、水晶体、および網膜での光吸収による熱損傷は、眼の安全性において第１に考慮する事項の１つである。眼に対する最大光露出レベルは、文献で比較的よく知られている。眼の安全性、ならびに最大の信号対雑音比のために、最適の出力レベルのプローブ光を使用する必要がある。例えば、７８０ｎｍの波長に対して、約０．５〜３ｍＷの連続波出力が、角膜検査および水晶体検査に許容され得る。
【００７８】
第２の装置１５０のスペクトル分析装置は、高いスペクトル分解能、高い感度および高い消光を有するべきである。この比較的低い光力およびブリルアン散乱の比較的低い断面は、第２の装置１５０で使用されるスペクトル装置の感度に対して厳しい要求を課す。これは、スペクトル分析装置の消光に対し厳しい要求を提起する。
【００７９】
スペクトル分析装置として、走査型ファブリペロー干渉計を用いることができる。干渉計は、シングルパス構成またはマルチパス構成のいずれかで、約５０ＧＨｚのフリースペクトルレンジおよび約１０００のフィネスを有するように設計することができる。別の代替のスペクトル分析装置は、バンドパス、ノッチまたはエッジタイプの固定式スペクトル用フィルタである。ある周波数成分の大きさを測定する。この場合、第１の電磁放射線の光周波数は、固定フィルタに対して安定化またはロックされてもよい。第２の装置１５０のための他の可能な実施形態は、プローブ光とブリルアン散乱光との間のビートに基づくヘテロダイン検出を含む。
【００８０】
スペクトル装置の好ましい実施形態の１つは、少なくとも１つの仮想イメージドフェイズドアレイ（ＶＩＰＡ）エタロンを使用する分光計である。ＶＩＰＡ３００は、入力光のスペクトルを異なる角度または空間点に分散させる。均一な反射率コーティングを有する通常のＶＩＰＡは、そのスペクトル伝達機能において約３０ｄＢの消光比を有する。
【００８１】
２つ以上のＶＩＰＡをカスケードにすることは、分光計の感度を著しく損なうことなくコントラストを高めるための実行可能な選択肢である。単一のＶＩＰＡエタロン３００は、コーティング方向に垂直な方向への光ビームの伝播を変化させずに、コーティング方向に平行な１つの空間方向に沿って、スペクトルの分散を発生する。複数の単一ＶＩＰＡエタロンは、各ＶＩＰＡの向きが前のステージの干渉計のスペクトル分散軸に一致するように、カスケードにすることができる。図３は、横軸カスケードの原理を示す。第１ステージのＶＩＰＡ３００は垂直方向に沿って位置合わせされ、スペクトルのパターンは垂直に分散される。試料が透過的でない場合、または強い光学反射がある場合、弾性散乱成分は劇的に増加する。弾性散乱（濃緑色の円）とブリルアン散乱（薄緑色の円）の比が分光計のスペクトルの消失を超えると、クロストーク信号がスペクトル軸に沿って現れる（緑色の線）。この「迷光」は弱いブリルアン信号を簡単に圧倒することができる。
【００８２】
２ステージのＶＩＰＡでは、第２のエタロン３１０は、第１のエタロン３００に直角に配置する。第１ステージを出るスペクトルのパターンは、入力ウィンドウを通して第２のエタロンに入る。両方のエタロンは光を直交方向に分散させるので、２ステージ装置の全体的なスペクトル軸は、エタロンが同一の分散力を有する場合、水平軸から１３５°の対角線方向に沿っている。第２のエタロン３１０は、第１ステージの後空間的に重複するが、各空間的位置での周波数が異なるため、ブリルアン信号をクロストークから隔てる。したがって、第２ステージの後、ブリルアンスペクトルが対角の軸にある間、エタロンの制限された消光に起因するクロストーク成分が隔てられ、主に水平軸および垂直軸に限定される。
【００８３】
信号と迷光が空間的に隔てられるのに加えて、２ステージ分光計は選択的なスペクトルのフィルタリングも可能にする。適切な開口マスク３２０を、第１のＶＩＰＡ３００の焦点面に配置することができ、その場合高分解能のスペクトルパターンが形成される。マスク３２０の例としては、スリットや矩形の開口が挙げられる。このマスクにより、望ましくないスペクトル成分が遮断され、スペクトルの所望の部分のみが第２のＶＩＰＡ３１０を通過することが可能になる。最適なパフォーマンスを得るには、２つのブリルアンピーク（２つの隣接するオーダーからのストークスおよびアンチストークス）のみを維持し、すべての弾性散乱ピークをカットする垂直のマスクを有することが望ましい場合が多い。これにより、第２ステージＶＩＰＡ３１０におけるクロストークが大幅に低減し、フィルタリングされていない強い弾性散乱光によって照らされる、後に配置されるＣＣＤカメラの画素を過剰に供給するのを回避するのに役立つ。
【００８４】
この交差軸のカスケードは、第３ステージに拡張することができる。３つのＶＩＰＡ分光計では、第３のＶＩＰＡ３３０は、前の２つのステージのスペクトル軸に垂直に向けられているので、ブリルアンスペクトルはＶＩＰＡ３３０の入力ウィンドウを通って入ることができる。第２のマスク３４０は、クロストークをさらに低減するために使用される。３つのエタロンの分散が組み合わされるのに起因して、すべてのエタロンが同じ分散力を有する場合、全体のスペクトル軸はさらに約１７０°に回転する。
【００８５】
同じカスケード原理に従って、Ｎ個のステージの複数のＶＩＰＡ干渉計を構築することができる。ｋ番目のＶＩＰＡは、先行するｋ−１のステージを介して分散されたスペクトルを受け入れるために適切な角度に配向される。各ステージの構築ブロックは、モジュール式で、円柱レンズＣＫ、エタロンＶＩＰＡｋ、焦点距離ｆＫを有する球状のフーリエ変換レンズＳＫＦ、マスクおよび焦点距離ｆＫ，Ｋ＋１の球面リレーレンズＳｋ，Ｋ＋１で構成されている。
【００８６】
第１ステージでは、ＶＩＰＡは、横軸（我々の実験ではθ１＝９０°）に関して、角度θ１で方向ｖ１に沿って配向され、そのスペクトル分散方向ｄ１に対して、Ψ１＝θ１でｖ１と平行である。二重ＶＩＰＡ干渉計では、第２のエタロンは、第１ステージｄ１のスペクトル方向に垂直な角度θ２＝Ψ１±π／２（我々の実験ではθ２＝１８０°）でｖ２に沿って位置合わせする。２つのエタロンの後、スペクトルはスペクトル分散方向ｄ２に沿って角度Ψ２で現れる。３ステージ干渉計では、第３のＶＩＰＡは、角度θ３＝Ψ２±π／２で、ｄ２に対して垂直に配向しなければならない。この装置は、角度Ψ３での最終的な分散方向ｓ３をもたらす。
【００８７】
各ステージについて、ｋ番目のＶＩＰＡ干渉計によって波長λｋのビームに課された分散角φｋは、平面波および沿軸の近似の両方で以前に導出された。ＶＩＰＡ後の球面レンズの焦点距離ｆｋ、つまりＳｋｆは、ｋ番目のステージの線形分散力を決定する。Ｓｋ＝φｋ＊ｆｋである。望遠鏡が２つの後続のＶＩＰＡステージを連結するために使用されるので、全体的な線形分散はまた、そのような光学システムによって導入される倍率に依存する。すなわち、各ｋ番目のステージは、前のｋ−１ステージによって得られたスペクトルのパターンに倍率Ｍｋ＝ｆｋ／ｆｋ−１を導入し、ｋ番目のステージによる有効な線形分散、s’ｋは、
【数４】
2018527059.tif 000006
によって得られる。したがって、全体のスペクトル軸に沿って、Ｎステージの複数のＶＩＰＡ干渉計の全線形分散ＳＮは、
【数５】
2018527059.tif 000007
と計算され、スペクトル分解能が理論上改善することを示唆している。すべてのスペクトル分散が等しい、すなわち
【数６】
2018527059.tif 000008
であるとき、全分散は
【数７】
2018527059.tif 000009
になる。
【００８８】
各ステージによって導入されたスペクトル分散および光学的倍率を知ることにより、総合的な分散軸を計算することができる。
【００８９】
【数８】
2018527059.tif 000010
と示すことができる。
【００９０】
ここで、矢印でマークした式は、すべてのステージについて等しい分散および等倍率の場合に適用される。
【００９１】
消光に関しては、単一のＶＩＰＡ分光計は、エアリープロファイルを有する入力ビームに対して、そのフィネスの２乗に比例するＣ、つまりＣ〜４Ｆ２／π２の消光を有する。等しいフィネスＦのＮ個のＶＩＰＡエタロンの後、スペクトルの消光またはコントラストは、原則として、Ｃ〜（４Ｆ２／π２）Ｎに改善される。
【００９２】
我々は、単一ステージ、２ステージ、３ステージのＶＩＰＡ分光計の消光パフォーマンスを、シングルモードのレーザ光を分光計に直接連結し、Ｓ１ｆ、Ｓ２ｆ、およびＳ３ｆの焦点面にそれぞれＣＣＤカメラを配置することによって実験的に比較した。ＣＣＤの限定されたダイナミックレンジを克服するために、０から７の範囲の光学濃度の較正されたニュートラルデンシティ（ＮＤ）フィルタを用いて、様々な光出力レベルでスペクトルを記録した。続いて、それぞれの減衰レベルに従って、記録された生スペクトルを再スケーリングすることにより、フルダイナミックレンジのスペクトルを再構成した。単一ステージのＶＩＰＡは、５〜２５ＧＨｚの広い周波数範囲で約３０ｄＢの消光レベルを示す。消光は、２ステージで５５ｄＢ、３つのＶＩＰＡエタロンでほぼ８０ｄＢに、周波数範囲の中間で改善されている。光学システムの収差を最小化し、ビームの形状またはプロファイルを改善することにより、９０ｄＢまで消光を改善できる可能性がある。
【００９３】
交差軸をカスケードにする他に、ＶＩＰＡエタロンの消光比を改善する別のアプローチは、ＶＩＰＡ出力の強度プロファイルをガウス形状というアポダイゼーションとして知られる技法に近づけることである。図４Ａは、アポダイズされたＶＩＰＡエタロンを使用する分光計の実施形態を示す。この実施形態では、空間的に変化する透過プロファイルを有する空間フィルタ３６０が、第１のＶＩＰＡエタロン３００の直後に使用される。フィルタ３６０は、そうでなければ指数関数的なビームプロファイルを、切断したガウス分布などの丸みを帯びた形状に変換する。第２のＶＩＰＡエタロン３１０の後に、別のリニア可変フィルタ３６５が用いられる。スペクトルの分散された出力は、その後、検出装置３７０に結像される。検出装置は、典型的には、電荷結合素子（ＣＣＤ）または線形検出器アレイに基づく２次元カメラである。
【００９４】
図４Ｂは、アポダイゼーションフィルタ３６０の役割を示す。入力光３８０は、エタロン３００に入射し、フェーズドアレイからなる出力ビーム３８０に変換される。通常、フィルタ３６０がない場合、この出力ビーム３８０の強度は指数プロファイル３８４を有する。フィルタ３６０の透過プロファイルは、長さに沿って線形、指数関数、またはより複雑な非線形勾配を有することができる。適切に設計された透過プロファイルを有する可変フィルタ３６０は、指数プロファイル３８４を、より丸みのあるガウス様プロファイル３８８に変換する。検出装置３７０の前のフーリエ変換レンズを通過すると、丸みを帯びたプロファイルが、通常のＶＩＰＡエタロンよりも著しく少ないクロストークまたは高い消光比を生じる。リニア可変フィルタでは、通常、４０ｄＢを超える消光比が達成可能である。
【００９５】
アポダイゼーションの別の実施形態では、ＶＩＰＡエタロン３９０は、その反射率および透過率が空間的に変化して、丸みを帯びたガウス様強度プロファイル３９６を生成するように、出射面３９４に勾配コーティングをして作製される。例えば、９９．９％から９０％まで直線的に可変であるコーティング３９４の反射率の単一のＶＩＰＡでは、原則的に一定の位相プロファイルを仮定して、約５９ｄＢの消光比を達成することができる。勾配のある反射率は、一般に、空間的に変化する位相プロファイルをもたらす。線形位相チャープは、減衰にあまり影響を与えず、ウェッジを用いることによって補償することができる。１５の蒸着されたコーティング層により、反射率は、表面３９４に沿って１５ｍｍにわたって９２％から９８．５まで変化させることができ、ウェッジからλ／１００の偏差を生じさせ得る。より多くの層にすると、約λ／４０の増加する非線形の位相変化を犠牲にして、９２％から９９．５％までのより高い反射率の勾配を達成することができる。
【００９６】
システムの構成は、眼組織の複数の空間点を同時に調べるように構成することができる。図５Ａおよび図５Ｂは、２つの例を示す。プローブ光の複数の焦点４００を形成し、各焦点からのブリルアン散乱光４０２が中継され、フリースペースまたはファイバアレイ４１０を介してＶＩＰＡエタロン３９０に結合される。次いで、検出装置に投影された空間スペクトルパターン４２０が処理されて、調べられる眼組織に関する生体力学的情報を提供する。
【００９７】
複数の空間的な点を調べる別の方法は、線状焦点４３０を使用することである。線状焦点４３０から発生させたブリルアン散乱光４３２が中継され、エタロン３９０に結合される。検出装置に投影された空間スペクトルパターン４２０は、眼組織に関する情報を生成するために使用される。
【００９８】
ラマン・スペクトロスコピーや蛍光スペクトロスコピーなどの他のスペクトルのモダリティは、ブリルアン・スペクトロスコピーと同時に実行することができる。複合的なモダリティでは、眼組織の生化学的および構造的、ならびに生体力学的および生理学的特性に関するより包括的な情報を提供し得る。蛍光、ラマンおよびブリルアンのスペクトルは電磁スペクトルの異なる領域を占めるので、第２の装置１５０は、これらのスペクトルを分けて、それらを同時に分析するように構成することができる。グレーティングやダイクロイックミラーなどの様々なスペクトル分散素子を使用して、異なる放出機構に関連するスペクトルを容易に分離して分析することができる。分離されたスペクトルは、強度を適切に等化した後、ＣＣＤカメラなどの単一の検出装置に投影することができる。あるいは、スペクトルを異なる検出装置に向けることができる。
【００９９】
我々は、本記載の原理を証明する実験および実現可能性の研究を行った。我々は、光源、イメージング光学系、分光計、およびコンピュータからなる２つのプロトタイプの機器を開発した。２つのプロトタイプ用の光源は、１ＭＨｚの線幅を有する５３２ｎｍの波長を放射する周波数倍増ダイオード励起Ｎｄ−ＹＡＧレーザと、およそ１００ＭＨｚの線幅を有する７８０ｎｍで放射するグレーティング安定化単一縦モードレーザダイオードである。光は、３５ｍｍまたは１１ｍｍの焦点距離のレンズを通して試料に集束させる。プロトタイプでは、ビームスキャナと、試料を移動するための電動の並進ステージを使用した。散乱光が同じレンズを通して集められるように、エピ検出構成を採用した。シングルモードファイバを共焦点ピンホールとして使用した。
【０１００】
次いで、光をＶＩＰＡ分光計へと結合させて、電子増倍型ＣＣＤカメラの面のスペクトル成分の高空間分離をさせた。分光計は３ｎｍのバンドパスフィルタを用いて蛍光を遮断した。プロトタイプに使用される光学設計は、２ステージＶＩＰＡ分光計と可変の減衰のニュートラルデンシティフィルタとの組み合わせである。分光計は、約１ＧＨｚのスペクトル分解能、約７５ｄＢの消光比、および約４０のフィネスでの７ｄＢの全挿入損失を特徴とする。
【０１０１】
インビボで水晶体の弾性を測定する可能性を検証するために、図６Ａに示すように、実験用マウス５００（Ｃ５７ＢＬ／６系統）でブリルアンイメージングを行った。麻酔下でプローブビーム５１０をマウスの眼の中に集束させた。動物をモーター付きステージで動かしながら、散乱光の光学スペクトルが記録された。図６Ｂは、前部皮質（ｉ）、水晶体核（ｉｉ）、後部皮質（ｉｉｉ）、および硝子体液（ｉｖ）のスペクトルパターンを特徴とする、水晶体の眼球光学軸に沿った異なる深度で、分光計のカメラによって記録された未処理のデータを示す。各スペクトルは１００ｍｓで取得された。図６Ｃは、房水から水晶体を通って硝子体までの領域における深さの関数として測定されたブリルアン周波数シフトのプロットを示す。図６Ｄは、深さにわたるブリルアンスペクトルの幅の軸方向プロファイルを例示している。これらの曲線から、核の中心におけるブリルアンシフトピーク、ブリルアン線幅ピーク、レンズを横切る平均周波数シフトなど、いくつかの診断パラメータを導出することができる。
【０１０２】
図６Ｅは、断面のブリルアン弾性マップを示し、ここで、色は、測定されたブリルアン周波数シフトを表す。画像領域は、それぞれ１．７×２ｍｍ２（ＸＹ）、１．８×３．１ｍｍ２（ＹＺ）、２×３．５ｍｍ２（ＸＺ）である。サンプリング間隔１００μｍで、各軸線（２０ピクセル）を走査するのに約２秒、断面（２０×２５ピクセル）に対して約５０秒、３Ｄ全体にわたって約２０分を要した。これらの画像は、外側の皮質から内側の核まで増加するモジュラスの勾配を視覚化する。
【０１０３】
インビボのブリルアン顕微鏡法を用いて、水晶体モジュラスの自然の年齢依存性を調べた。１８ヶ月齢のマウスの水晶体核の中心で観察されたブリルアンピークシフトは１６ＧＨｚであったが、１ヶ月齢の若いマウスのシフトは１１．５ＧＨｚであった。この研究を年齢の異なる１２匹のマウスに広げ、加齢と関連のある硬化の明らかな傾向を見出した。次に、毎週マウス１匹を２ヶ月間撮像し、加齢と関連のある一貫したデータを得た。結果は、極超音速の弾性率と動物の年齢との間の定量的（対数線形）の関係を示している。この結果は、マウスにおける水晶体の加齢と関連する硬化を証明する最初の生体内データを示唆している。
【０１０４】
エクスビボで、ウシの眼に対してブリルアンイメージングを行った。図７Ａは、ウシの眼の前部の区画のブリルアン画像を示す。プローブビームの横方向および軸方向の分解能はそれぞれ１μｍおよび５μｍであった。ブリルアン周波数シフトは色でコード化されている。深度分解された断面画像（ＸＺ）は、ブリルアン周波数が上皮６００から角膜実質６０４を経て内皮６０８に徐々に減少することを示す。房水６１２のブリルアン周波数は、図６Ｃに示す周波数と一致する。深さに沿った弾性率の変化は、角膜の形態学的構造と相関があるように思われる。ブリルアンモジュラスは、正常角膜の横方向の大きさに沿ってあまり変動がないように見える。図７Ｂは、平面で光学的に区分された角膜の正面向きの（ＸＹ）画像を示す。
【０１０５】
図７Ｃは、図７Ａの断面画像の中央の０．５ｍｍ幅の部分から得られた、横方向に平均化された軸方向プロファイル（Ｘ軸に沿っている）を示す。いくつかの特徴が観察された。例として、上皮（６２０）および角膜実質の前部における深さにわたるブリルアン周波数の急な勾配、中心部分（６２２）における緩やかで見かけ上減少する勾配、および内皮に向かって角膜実質の最内層での急速に減少する勾配６２４が挙げられる）。
【０１０６】
したがって、角膜の硬さの軸方向での挙動を特徴付ける各試料について、３つの傾き（前部、中心および後部）を定義することができる。８０〜１８０μｍの深さと定義される前部領域では、平均勾配（６２０）を１．０９±０．２６ＧＨｚ／ｍｍと測定した。３００〜６００μｍの深さと定義される中心領域では、平均勾配（６２２）を０．３６±０．０６ＧＨｚ／ｍｍと測定した。そして、６８０〜７８０μｍの深さの後部領域では、平均勾配６２４を２．９４±０．１８ＧＨｚ／ｍｍと測定した。３つの勾配測定値間の差は、対応のない両側ｔ検定で計算された３つの比較について、０．００１未満のｐ値で極めて統計的に有意であった。定量化することができる別の特徴的なパラメータは、ブリルアンシフトの平均６３０または深部全体にわたる空間平均である。
【０１０７】
赤外線プロトタイプシステムを使用して、ヒトを対象にした角膜および水晶体の最初のインビボの研究を行った。動物による研究で見られた特徴がヒトにも存在し、機器がヒトの角膜と水晶体の弾性を検出するのに感応することを確認した。０．７ｍＷの連続波出力で得られた軸方向プロファイルは、角膜前部から角膜後部へとブリルアン周波数が減少することと、房水から水晶体核へと漸進的に剛性が増加することを示す。
【０１０８】
角膜処置用のモニタ手段としての可能性を検証した。生体力学的なブリルアンイメージングが、角膜クロスリンキング（ＣＸＬ）として知られる治療の処置によって誘導された角膜の硬さの変化に感応するかどうかを検証した。ＣＸＬは、光増感剤と光照射を介して、角膜実質内のコラーゲン線維間の共有結合の形成を促進する有望な技術である。コラーゲン線維間のクロスリンキングの量を増加すると、より硬い角膜実質がもたらされる。ウシの角膜試料に対してＣＸＬ処置を実施した。上皮を除去した後、光増感剤（リボフラビン）を角膜実質に拡散させ、青色光を照射することにより活性化させた。図８Ａは、無処置（左）、上皮除去後（中）、クロスリンキング処置後（右）という３つの異なる状態のウシの角膜試料のブリルアン断面画像を示す。クロスリンキングの処置が、角膜実質におけるブリルアンモジュラスを大幅に増強したのは明白である。クロスリンキング後の組織の収縮は十分に実証されている。
【０１０９】
ブリルアンパラメータを使用して、ＣＸＬ処置の効果を定量化することができる。前述のものと同様の処置を利用して、ＣＸＬ前後の角膜の軸方向プロファイルを得た。ＣＸＬによって、角膜実質の領域における深さにわたり、ブリルアン周波数の下り勾配（正常組織については図７Ｃの６２２）が劇的に増加することが見出された。図８Ｂは、コントロール対治療サンプル（Ｎ＝４）の中心勾配の増加（絶対値）を示す。この差は、対応のない両側ｔ検定で０．０００１未満のｐ値で統計的に有意であった。図８Ｃは、深さのプロファイルに沿って平均化されたブリルアンモジュラスの平均の統計的に有意な増加を示す。治療した組織の増加は約１０％であった。
【０１１０】
最後に、健康なドナーおよび角膜移植を経た円錐角膜患者から得た外科的に抽出したヒトの角膜に関するブリルアン分析を実施した。中心の勾配とブリルアンモジュラスの平均の両方に統計的有意差があることを見出した。
【０１１１】
これらの実験結果のすべては、臨床的および前臨床的な眼科学、ならびに基本的な眼の研究において、本記載の有用性があることを示している。ブリルアン眼分析装置は、早期診断、リスクのある患者のスクリーニング、治療反応のモニタ、治療のための新規アプローチの開発、および病因の理解を助ける有用な診断手段であることが証明されていると思われる。
【０１１２】
水晶体、強膜および角膜の力学的特性は、白内障、老視および角膜拡張症などのいくつかの医学的問題において重要な役割を果たす。これらの障害および年齢は、ひいては組織の力学的特性を変えることが知られている。本記載により、眼の様々な組織の生体力学的および生理学的状態に関連する情報を、生きている患者および動物において非侵襲的に得て、医学的問題の理解、診断および治療に有用な情報を提供することができる。本記載では、眼組織の力学的特性は、ブリルアン散乱を介して眼組織から再放射された光のスペクトルから得られる。その情報は、臨床現場における眼疾患の診断および治療、ならびに基礎および前臨床段階において有用である。
【０１１３】
本明細書に記載された技術は、局所的または全体的なブリルアンモジュラス値を使用する有限要素解析（ＦＥＡ）などの数値解析に基づくアルゴリズムを含むアルゴリズムで使用することができる。このような数値解析により、局在レベルの物質の情報が使用できるようになり、それにおいては、眼球構成要素のセグメントに対応するＦＥＡモデルの各要素が、割り当てられた個々の粘弾性率値を有することができる。そのような局所化された物質情報がなければ、ＦＥＡモデルの要素（例えば、要素の３Ｄ配列のボクセル）は、モデリングされた領域全体にわたって単一の物質定数を割り当てる必要がある可能性があり、そのことはＦＥＡモデルなどに基づいて処置を動的にガイドするのに有用ではない。たとえ割り当てられた物質定数がインサイチュでの測定に基づいて更新できても、眼球構成要素のモニタされた特性に基づいて個々の要素を更新する高解像度の動的に進化するモデルを有することは、ひときわ有用である。ブリルアンモジュラスに加えて、数値モデルを生成するＦＥＡエンジンには、角膜トポグラフィ、曲率、厚さなどの幾何情報、眼内圧、および切開パラメータなどの生理学的情報を含む他の情報を入力することができる。アルゴリズムは、応力−ひずみマップまたは局所応力値を含み得る出力を生成することができる。分析の出力は、様々な切開（例えば、位置、長さ、角度および深さ）をシミュレートし、切開の屈折の影響を予測するために使用できる。このアルゴリズムは、生体力学に基づく応力−ひずみマップを提供することができ、これは所望の外科的な結果または屈折の結果を達成するのに役立つノモグラムに使用することができる。
【０１１４】
図９Ａ〜９Ｅは、本明細書に記載の技術を用いてガイドすることができる例示的な切開を示す。図９Ａおよび図９Ｂは、それぞれレーザおよび機械的手段による角膜への切開を示す。図９Ｃは、角膜構造に影響を及ぼす恐れがある強膜への切開を示す。図９Ｄは、角膜輪部減張切開術（ＬＲＩ）を示す。図９Ｅは、切開の位置における角膜の有限要素モデルのメッシュの変形を示す。
【０１１５】
角膜の周辺の測定値を得るために克服する必要のある課題が存在する可能性がある。測定機器は、周辺の測定のための特定のシステム、または中央の測定と周辺の測定との間で切り替えることができるシステムのいずれかにおいて、そのような測定を行うことをより容易および／またはより効率的にするように構成することができる。例えば、治療用レーザが入射する斜めの角度を考慮することができる。
【０１１６】
本明細書に記載の技術の態様は、例えば、近視または緑内障などの状態の診断および予後のための強膜のモジュラスまたは剛性のブリルアンスキャンでの測定に適用して、その状態の治療経路を最適化することができる。
【０１１７】
眼の白い所としても知られる強膜は、コラーゲンおよび弾性線維を含む眼の不透明で線維性の保護外層である。ヒトにおいては、強膜全体が白色であり、色のついた虹彩と対照的である。眼の形状の変化は、近視の進展に寄与することが示されている。近視の進展および進行にどれほど強膜のコンプライアンスまたは硬さが寄与するかを判定するための調査も行われている。角膜のコンプライアンス／硬さの寄与はわずかであると言われてきた。軸性近視は、眼の軸方向の長さが増加することに起因する。湾曲性近視は、眼の１つ以上の屈折面、特に角膜の湾曲に起因する。軸性近視または湾曲性近視の場合、強膜の性質が眼の屈折面の曲率および／または不規則性にどのように影響するか不明である。この分野の諸研究で、眼組織の厚さなどの特性が、極度に近視である者と正視の健常なコントロールとの間でいかに統計的に異なるかが調べられてきた。いくつかの研究で、近視の進展および進行は、硝子体腔の深さの増加によるものであると主張されている。その増加は強膜の拡張または強膜拡張症に関連し得る。病的近視の定義は標準化されていないが、病的近視に対する一般的な使用基準は、６．００Ｄまたは８．００Ｄを超える近視の屈折異常（等価球面度数（ＳＥ））または２６．５ｍｍを超える軸長を含む。
【０１１８】
また、近視は強膜の変形と密接に関連している可能性があり、強膜の生体力学は近視を予測するための因子と推測されている。公知の治療経路があるにもかかわらず、近視の母集団の約４％を含む病理学的または進行性の近視患者は、依然として治療経路が最適化されていない。近視の処置には、眼鏡、コンタクトレンズ、屈折矯正手術、およびアトロピンによる医療を介した視力矯正が含まれる。強膜の弾性率のインビボでの高空間分解能測定は、本明細書に記載の技術によって、今や可能になった。
【０１１９】
本明細書に記載の技術は、軸性近視、湾曲性近視および病的近視を含む状態の進行に対し潜在可能性のある予後を促す、強膜および他の眼球構成要素の生体力学的特性を評価するために、ブリルアン散乱の測定を使用する。特定の実施形態では、局所的なブリルアンモジュラスは、強膜表面および強膜内の両方から得られる。付録に記載されている設定を、光源の波長および分光計の消光を含むいくつかの潜在的なパラメータに従って修正することを必要としながら、強膜の反射率を考慮に入れることができる。また、強膜は（角膜、水晶体、および硝子体と比較して）比較的強く光を散乱するので、強膜の内側からブリルアンモジュラスを様々な深度でアクセスさせることは困難である。これを克服するための潜在的なアプローチには、十分に高い消光比、典型的には６５ｄＢ超、理想的には８０ｄＢを超えるブリルアン分光計の機器を使用し、強膜からの弾性散乱を低減することが含まれる。強膜における散乱は波長に依存する。１０００ｎｍ超の波長または約１３００ｎｍまたは１５５０ｎｍのスペクトル範囲は、強膜からの散乱の減少のため有利であり得る。さらなる実施形態は、プローブ光を強膜に送達し、強膜からのブリルアン散乱信号を捉えるために、導波管または光ファイバ構成を使用し得る光プローブを含むことができる。
【０１２０】
追加の実施形態は、多様な表面または深さの位置またはその両方における、強膜の１つまたは複数のブリルアンでの測定を含むことがあり、数値的方法、例えば平均または比として組み合わせて強膜生体力学（例えば、係数）を作り出すことができる。このような係数は、角膜を含むがこれに限定されないさらなる眼組織から取得された他の生体力学的測定値と、様々な方法によって比較され、数値的に結合され得る。測定には、同時測定または非同時測定のアレイを含めることができる。
【０１２１】
強膜および角膜の生体力学的特性を共同して測定および評価する実施形態では、これらの２つの組織からの異なる測定値間の比または比較が、特に有用な場合がある。なぜならば、角膜組織または強膜組織の変形、および強膜と角膜、および結膜（強膜を覆い、角膜に至る）と角膜の間の過渡領域との間の変形が、いかに時間が経つにつれて進行するかに対し見識を与え得るからである。時間の経過と共に進行するだけでなく、この領域の状態の評価はまた、円錐角膜、拡張症、および他の角膜の不規則性をよりよく理解するのに役立ち得る。また、本明細書に記載の技術は、さらなる硬さをもたらす結膜、強膜の周りの薄い層の硬さを測定するため、そして近視の進行、角膜障害および不規則、または拡張症と円錐角膜の素因さえも判定するためのアルゴリズムにフィードバックするために使用し得る。
【０１２２】
他の実施形態では、局所的ブリルアンモジュラスは、水晶体内から取得するか、白内障手術の場合水晶体の抽出からも取得する。水晶体内からの場合、例えば、老視と併せ、水晶体の治療のための有望な指針を促す。
【０１２３】
また、ブリルアン顕微鏡法は、縦方向だけでなく横方向の音波の伝播速度および減衰係数を測定するために使用することができる。測定されたデータから、組織の異方性の力学的特性または粘弾特性を判定することができる。各測定について、入力された光の偏光状態に対するブリルアン散乱光の偏光状態、および試料の対称軸に対するブリルアン散乱光の偏光状態を判定することができる。例えば、対称軸は、角膜内のコラーゲン線維の配向であり得る。このような等方性試料の場合、対称性によって、後方散乱ジオメトリにおいて横（剪断）音響モードを検出するべきではない。軸が傾くと、対称性が崩れ、剪断波を測定できる。この測定のために、入力光は、典型的には、直線偏光子または円偏光子を使用して偏光され、散乱光は、例えば、１つまたは複数の偏光子および／または偏光スプリッタを含む偏光感応検出器を介して検出される。この機器はまた、試料に対するビーム軸の相対的な向きを変えるための装置を採用してもよい。装置は、ビームチルトプローブを含むことができる。
【０１２４】
この技法は、他の処置にも適用することができる。角膜および／または強膜からの生体力学的情報は、介入のための患者特異的な最適プロトコルを決定するのに有用な情報を提供することができる。近視の介入または治療には、強膜クロスリンキングまたはアトロピンなどの薬物が含まれる。
【０１２５】
眼球の強膜の測定は、強膜クロスリンキングまたはアトロピンなどの薬物の影響のモニタの一部であり得る。
【０１２６】
強膜後部は、同じプロセスをモニタするために瞳孔を通して非侵襲的に強膜にアクセスすることによって測定できる可能性がある。
【０１２７】
様々な眼球構成要素のモニタは、非侵襲的なものだけでなく、経扁平部硝子体切除術または網膜レーザ治療のような硝子体網膜の処置といった侵襲的な処置をガイドするのにも有用である可能性がある。
【０１２８】
他の実施形態は、以下の特許請求の範囲内にある。
【図１Ａ】
2018527059.tif 000011
【図１Ｂ】
2018527059.tif 000012
【図２Ａ】
2018527059.tif 000013
【図２Ｂ】
2018527059.tif 000014
【図２Ｃ】
2018527059.tif 000015
【図３】
2018527059.tif 000016
【図４Ａ】
2018527059.tif 000017
【図４Ｂ】
2018527059.tif 000018
【図４Ｃ】
2018527059.tif 000019
【図５Ａ】
2018527059.tif 000020
【図５Ｂ】
2018527059.tif 000021
【図５Ｃ】
2018527059.tif 000022
【図５Ｄ】
2018527059.tif 000023
【図６Ａ】
2018527059.tif 000024
【図６Ｂ】
2018527059.tif 000025
【図６Ｃ】
2018527059.tif 000026
【図６Ｄ】
2018527059.tif 000027
【図６Ｅ】
2018527059.tif 000028
【図７Ａ】
2018527059.tif 000029
【図７Ｂ】
2018527059.tif 000030
【図７Ｃ】
2018527059.tif 000031
【図８Ａ】
2018527059.tif 000032
【図８Ｂ】
2018527059.tif 000033
【図８Ｃ】
2018527059.tif 000034
【図９Ａ−９Ｅ】
2018527059.tif 000035
【国際調査報告】
2018527059.tif 000036
2018527059.tif 000037
2018527059.tif 000038
2018527059.tif 000039